(57)【特許請求の範囲】
【請求項１】
広告のオーディオデータである広告サウンドを分析して前記広告サウンドの遺伝子である内部遺伝子を抽出する遺伝子抽出部と、
前記広告サウンドと関連する広告毎に、広告に関連したウェブページのＵＲＬを含む広告情報を前記内部遺伝子と関連させて格納する広告データベースと、
モバイル端末が認識した外部サウンドの遺伝子である外部遺伝子を前記モバイル端末から取得し、ユーザが広告情報に関する転換をした場合に当該広告情報に関する転換情報を取得するモバイル端末から、外部サウンドの遺伝子である外部遺伝子及び前記転換情報を取得する取得部と、
前記取得部が取得した外部遺伝子と関連する広告情報を前記広告データベースから検索する情報検索部と、
前記情報検索部が検索した広告情報を前記モバイル端末に提供する情報提供部と、
前記取得部が取得した前記転換情報に基づき、当該広告情報に関連した広告の転換回数を示す広告提供回数を集計し、当該転換情報に対応した広告情報に対応する広告主に、集計した前記広告提供回数に応じて当該広告情報の提供に係る課金を行う課金実行部と
を含む広告情報提供システム。
【請求項２】
前記広告情報提供システムは、
前記モバイル端末から前記モバイル端末の位置情報を受信する位置受信部をさらに含み、
前記情報検索部は、
前記位置情報と関連する広告情報を検索することを特徴とする請求項１に記載の広告情報提供システム。
【請求項３】
前記情報検索部は、
前記外部サウンドの外部遺伝子と前記内部遺伝子との対照によって前記外部遺伝子と適合する前記内部遺伝子と関連する前記広告情報を検索することを特徴とする請求項１に記載の広告情報提供システム。
【請求項４】
前記転換情報は、前記広告情報に対する移動、実行、格納、ページビュー、クリックのうち少なくとも１つを含むユーザの行為に対応する情報である
ことを特徴とする請求項１に記載の広告情報提供システム。
【請求項５】
広告のオーディオデータである広告サウンドを分析して前記広告サウンドの遺伝子である内部遺伝子を抽出する遺伝子抽出ステップと、
前記広告サウンドと関連する広告情報を前記内部遺伝子と関連させて広告データベースに格納する格納ステップと、
モバイル端末が認識したサウンドである外部サウンドの遺伝子である外部遺伝子を前記モバイル端末から取得する外部遺伝子取得ステップと、
前記外部サウンドの遺伝子である外部遺伝子と関連する広告情報を前記広告データベースから検索する情報検索ステップと、
前記広告情報を前記モバイル端末に提供する情報提供ステップと、
ユーザが広告情報に関する転換をしたことを示す転換情報をモバイル端末から取得し、 前記転換情報に基づき、当該広告情報に関連した広告の転換回数を示す広告提供回数を集計し、当該転換情報に対応した広告情報に対応する広告主に、集計した前記広告提供回数に基づいて前記広告情報の提供に係る課金を行う課金実行ステップと
を含む広告情報提供方法。
【請求項６】
前記広告情報提供方法は、前記モバイル端末から前記モバイル端末の位置情報を受信する位置受信ステップをさらに含み、
前記情報検索ステップは、前記位置情報と関連する広告情報を検索する
ことを特徴とする請求項５に記載の広告情報提供方法。
【請求項７】
前記モバイル端末において、前記外部サウンドを分析して前記外部サウンドの外部遺伝子を抽出し、
前記広告情報提供方法は、前記モバイル端末から前記外部遺伝子を受信して前記外部遺伝子に対応する前記広告情報を提供する
ことを特徴とする請求項５に記載の広告情報提供方法。
【請求項８】
前記広告情報提供方法は、前記外部サウンドを分析して前記外部サウンドの外部遺伝子を抽出する遺伝子抽出ステップをさらに含み、
前記情報検索ステップは、前記外部遺伝子に対応する前記広告情報を検索する
ことを特徴とする請求項５に記載の広告情報提供方法。
【請求項９】
前記情報検索ステップは、
前記外部サウンドの遺伝子である外部遺伝子と前記内部遺伝子との対照によって前記外部遺伝子と適合する前記内部遺伝子と関連する前記広告情報を検索することを特徴とする請求項５に記載の広告情報提供方法。
【請求項１０】
前記転換情報は、
前記広告情報に対する移動、実行、格納、ページビュー、クリックのうち少なくとも１つを含むユーザの行為に対応する情報である
ことを特徴とする請求項５に記載の広告情報提供方法。
【発明の詳細な説明】
【技術分野】
【０００１】
本発明の実施形態は、ＴＶやラジオなどから出るサウンドを認識して、関連する広告情報を提供する広告情報提供システムおよび方法に関する。
【背景技術】
【０００２】
ＴＶやラジオ広告は、単方向に情報を提供する媒体であるため、ユーザが広告に関して双方向（ｉｎｔｅｒａｃｔｉｖｅ）でアクセスすることは困難である。ＴＶ広告の場合、クロスメディアの形態で検索広告ウィンドウに「キーワード」を露出し、ユーザが後にＰＣなどを用いて検索するように誘導しているが、ユーザが直ちに情報を検索できるような環境が提供されるのでなければ、検索行為には結びつかない。また、ラジオ広告の場合、聴取する内容に「広告主のホームページを参照して下さい。」というような内容を伝達するが、ユーザがこれを記憶して検索を行うのは容易ではなく、結果としてユーザの検索へとその伝達が結びつくことは少ない。
【０００３】
一方、モバイル端末は、ユーザが常に所持しているため、ＴＶを視聴しながら、または、自動車などでラジオを聞きながら、情報をいつでも照会できるという長所を有する一方で、端末のキーボードのキーが小さくて検索クエリの入力が困難であるという短所を有し、特別な目的でなければ検索行為になかなか結びつかない。
【発明の概要】
【発明が解決しようとする課題】
【０００４】
ＴＶやラジオなどから出る広告のサウンドをモバイル端末を介して認識し、該当広告と適合した情報を提供することによって、ユーザが広告と関連する追加的な情報を容易に得ることができる広告情報提供システムおよび方法が提供される。
【課題を解決するための手段】
【０００５】
本発明の一実施形態において、モバイル端末が認識した外部サウンドをモバイル端末から受信するサウンド受信部と、外部サウンドと関連する広告情報を検索する情報検索部と、広告情報をモバイル端末に提供する情報提供部と、広告情報に対応する広告主に広告情報の提供に係る課金を行う課金実行部とを含む広告情報提供システムを提供する。
【０００６】
本発明の一実施形態に係る広告情報提供システムは、モバイル端末の位置情報をモバイル端末から受信する位置受信部をさらに含み、位置情報と関連する広告情報を共に提供してもよい。
【０００７】
本発明の他の実施形態において、外部サウンドを分析して外部サウンドの遺伝子（ＤＮＡ）である外部遺伝子を抽出する遺伝子抽出部が、モバイル端末または広告情報提供システムに含まれてもよく、外部遺伝子に対応する広告情報を検索してもよい。
【０００８】
また本発明の他の実施形態において、広告情報提供システムは、広告のオーディオデータである広告サウンドを分析して広告サウンドの遺伝子である内部遺伝子を抽出する遺伝子抽出部と、広告サウンドと関連する広告情報を内部遺伝子と関連して格納する広告データベースとをさらに含み、外部遺伝子と内部遺伝子との対照によって外部サウンドと適合した広告情報を検索してもよい。
【０００９】
また本発明の他の実施形態において、広告データベースは、内部遺伝子、広告主の名前または電話番号、広告名、広告のタイプ、広告の内容、サウンド認識後にサウンドと広告情報とが適合した回数、広告情報のモバイル端末への送信成功回数、広告情報のタイプ別広告提供回数のうち少なくとも１つを格納するフィールドで構成され、情報提供部は、広告主の名前、電話番号、広告名、広告の内容のうち少なくとも１つを含む広告情報を、検索のための検索キーワード、ウェブページに移動できるＵＲＬ、動画を実行できるＵＲＬ、地図の表示箇所に移動できるＵＲＬ、格納のためのテキストまたは文書のうち少なくとも１つの形態で提供してもよい。
【００１０】
また本発明の他の実施形態においては、課金実行部は、広告情報の露出回数、検索キーワードを用いて検索を行った回数である検索回数、検索キーワードを用いて行った検索の検索結果をクリックしたクリック回数、ＵＲＬのクリックによって前記ＵＲＬに対応するウェブページを実行した実行回数、ＵＲＬのクリックによって動画または、地図画面の表示を実行した実行回数、電話番号に電話が接続された電話回数のうち少なくとも１つの広告提供回数を集計して広告提供回数によって課金を行ってもよい。
【００１１】
また本発明の他の実施形態においては、広告情報提供システムは、広告情報がモバイル端末を介して転換された転換情報を受信する情報受信部をさらに含み、課金実行部は転換情報を用いて広告情報が提供された広告提供回数を集計した後に広告提供回数によって課金を行ってもよい。このとき、転換情報は、広告情報に対する移動、実行、格納、ページビュー（ｐａｇｅ  ｖｉｅｗ）、クリックのうち少なくとも１つを含むユーザの行為に対応する情報を意味する。
【発明の効果】
【００１２】
モバイル端末を介して放送媒体により露出される広告のサウンドを認識して該当広告と関連する情報をモバイル端末に提供することにより、モバイル端末のユーザが放送媒体により露出される広告と関連する追加的な情報を容易に、かつ素早く得ることができ、広告に対するユーザの積極的な反応を誘導して広告効果を向上させることができる。
【図面の簡単な説明】
【００１３】
【図１】本発明の一実施形態における、広告情報提供システムとモバイル端末との関係を説明するための図である。
【図２】本発明の一実施形態における、ＴＶやラジオなどで放送される広告のサウンドと関連する広告情報を構築する広告情報提供システムの内部構成を説明するためのブロック図である。
【図３】本発明の一実施形態における、モバイル端末を介してサウンドを認識してサウンドに対応する広告情報をモバイル端末に提供する広告情報提供システムの内部構成を説明するためのブロック図である。
【図４】本発明の一実施形態における、ＴＶやラジオなどで放送される広告のサウンドと関連する広告情報を構築してモバイル端末に広告情報を提供する広告情報提供方法を説明するためのフローチャートである。
【図５】本発明の一実施形態における、モバイル端末を介して認識されたサウンドに対応する広告情報を検索して該当広告情報をモバイル端末に提供して広告情報の提供に係る課金を行う広告情報提供方法を説明するためのフローチャートである。
【発明を実施するための形態】
【００１４】
以下、本発明の実施形態を添付する図面を参照しながら詳細に説明する。
【００１５】
図１は、本発明の一実施形態における、広告情報提供システムとモバイル端末間の関係を説明するための図である。図１は、モバイル端末１２０と連動してモバイル端末１２０に広告を提供する広告情報提供システム１１０を示している。
【００１６】
広告情報提供システム１１０は、広告主１３０から放送媒体を介して放送される広告のオーディオデータである広告サウンドを確保した後に、広告サウンドと関連してモバイル端末１２０に提供する広告情報をデータベースに構築する。ここで、広告主１３０は広告代理店を含んでもよく、放送媒体はＴＶ、ラジオなどを意味してもよい。
【００１７】
モバイル端末１２０は、放送媒体により発せられるサウンドを認識した後、認識されたサウンドを広告情報提供システム１１０に送信する。ここで、モバイル端末１２０は、無線ネットワーク接続が可能で広告情報提供システム１１０と通信が可能なすべての機器を意味してもよい。また、モバイル端末１２０は、外部のサウンドを認識するサウンド認識機能と、広告情報提供システム１１０で提供する広告情報を受信する機能と、受信した広告情報を表示できる表示機能と、広告情報に対するユーザのクリックによって、ウェブページを表示するウェブブラウザ、動画プレーヤー、地図アプリケーション、または、アドレス帳などを呼び出す機能と、広告情報提供システム１１０が広告情報を検索する間も外部サウンドを広告情報提供システム１１０に送信する機能とを支援してもよい。
【００１８】
広告情報提供システム１１０は、モバイル端末１２０を介して認識されたサウンド（以下、「外部サウンド」と称する）をモバイル端末１２０から受信して外部サウンドと広告サウンドとの対照によって外部サウンドと適合する広告情報を検索した後に、該当広告情報をモバイル端末１２０に提供する。広告情報提供システム１１０は、所定の時間において外部サウンドと関連する広告情報についての照会がない場合には、モバイル端末からその次に送信されるサウンドからの広告情報を自動で継続して提供する機能を支援してもよい。ユーザは、モバイル端末１２０に提供された広告情報を確認することによって外部サウンドと関連する追加的な情報を容易に、かつ素早く取得することができる。
【００１９】
広告情報提供システム１１０は、広告情報のモバイル端末１２０への提供に応じて、広告情報に対応する広告主に広告情報の提供に係る課金を行う。
【００２０】
図２は、本発明の一実施形態における、ＴＶやラジオなどで放送される広告のサウンドと関連する広告情報を構築する広告情報提供システムの内部構成を説明するためのブロック図である。本発明の一実施形態に係る広告情報提供システム２００は、図２に示すように、遺伝子抽出部２１０、広告データベース２２０を含んでもよい。
【００２１】
遺伝子抽出部２１０は、広告主または放送媒体から確保した広告サウンドを分析して広告サウンドの全区間に亘って広告サウンドの遺伝子（以下、「内部遺伝子」と称する）を抽出する。ここで、サウンドの遺伝子とは、音響指紋（ａｕｄｉｏ  ｆｉｎｇｅｒｐｒｉｎｔｉｎｇ）を用いたオーディオ遺伝子（ａｕｄｉｏ  ＤＮＡ）を意味してもよい。また、オーディオ遺伝子は、オーディオデータの組成、拍子、数値などを根幹として分類してもよい。遺伝子抽出部２１０は、組成、拍子、数値などを用いて広告サウンドに対応するオーディオデータから少なくとも１つの内部遺伝子を抽出してもよい。遺伝子抽出部２１０は、デジタル音源の不法複製の有無を判断するＤＮＡ抽出システムと同一の原理によって内部遺伝子を抽出してもよい。広告主が広告サウンドに該当する内部遺伝子を直接提供する場合、広告情報提供システム２００で遺伝子抽出部２１０を備えていなくてもよい。
【００２２】
広告データベース２２０は、広告主が登録した広告情報を格納するためのものであり、広告主別に区分して維持および管理してもよい。この時、広告情報は、広告の種類や形態に限定されずにモバイル端末に提供可能なすべての広告を意味してもよい。また、広告データベース２２０は、広告サウンドと関連する広告情報を内部遺伝子と関連して格納および維持してもよい。ここで、広告データベース２２０は、広告サウンドと関連する広告情報に対して、内部遺伝子、広告主の名前または電話番号、広告の名前または題名、広告のタイプ、広告の内容、サウンド認識後にサウンドと広告情報とが適合した回数、モバイル端末への送信成功回数、広告情報のタイプ別広告提供回数のうち少なくとも１つを格納および管理する管理フィールドとして構成してもよい。
【００２３】
前記構成によれば、一実施形態に係る広告情報提供システム２００は、広告サウンドに対応する広告情報を広告データベース２２０を介して維持することにより、モバイル端末を介して認識されたサウンドと適合する広告情報をモバイル端末に提供してもよい。ユーザが放送媒体により露出される広告と関連する情報の取得を希望する場合、モバイル端末を介してサウンドを取得して広告情報提供システム２００に送信することになれば、広告情報提供システム２００からサウンドと適合する広告の追加的な情報を得ることができる。このため、無線ネットワークが接続されたモバイル端末で外部サウンドを認識するためのアプリケーションを実行してアプリケーション内のサウンド認識機能を作動させて、放送媒体により発せられる外部サウンドを認識してもよい。モバイル端末は、外部サウンドの全体または一部を無線ネットワークを介して広告情報提供システム２００に送信するが、広告情報提供システム２００でサウンドマッチングにより適合する広告情報が発見される時まで外部サウンドを送信する。この時、モバイル端末は、今後リサイクルが可能なように外部サウンドを端末内部に自動で格納する。また、モバイル端末は、位置情報を広告情報提供システム２００に送信してもよい。ここで、位置情報は、モバイル端末の位置データ、または、ユーザによって選択された位置データを意味してもよい。これに対し、広告情報提供システム２００は、モバイル端末から位置情報を受信し、広告データベース２２０に格納された広告情報のうち位置情報に対応する広告情報、すなわち、該当位置にターゲッティングされた広告をモバイル端末に提供してもよい。
【００２４】
図３を参照しながら、モバイル端末に広告情報を提供する広告情報提供システムを詳細に説明する。
【００２５】
図３は、本発明の一実施形態における、モバイル端末を介してサウンドを認識し、サウンドに対応する広告情報をモバイル端末に提供する広告情報提供システムの内部構成を説明するためのブロック図である。一実施形態に係る広告情報提供システム３００は、図３に示すように、サウンド受信部３１０、遺伝子抽出部３５０、情報検索部３２０、情報提供部３３０、課金実行部３４０、位置受信部３６０、情報受信部３７０を含んでもよい。
【００２６】
サウンド受信部３１０は、モバイル端末が認識した外部サウンドをモバイル端末から受信する。
【００２７】
遺伝子抽出部３５０は、外部サウンドを分析して外部サウンドの遺伝子である外部遺伝子を抽出する。ここで、外部遺伝子は、外部サウンドに該当する音響指紋を用いて生成されたオーディオ遺伝子を意味してもよい。一例として、遺伝子抽出部３５０は、組成、拍子、数値などを用いて外部サウンドに対応するオーディオデータから少なくとも１つの外部遺伝子を抽出してもよい。遺伝子抽出部３５０は、デジタル音源の不法複製の有無を判断するＤＮＡ抽出システムと同一の原理によって外部遺伝子を抽出してもよい。そして、遺伝子抽出部３５０は、モバイル端末に構成されてもよい。遺伝子抽出部３５０がモバイル端末内部に備わっている場合であれば、モバイル端末で外部サウンドの外部遺伝子を抽出して広告情報提供システム３００に送信するように実現してもよい。この場合、広告情報提供システム３００で遺伝子抽出部３５０を備えていなくても問題はなく、サウンド受信部３１０で外部サウンドの外部遺伝子を受信する。
【００２８】
情報検索部３２０は、外部サウンドと関連する広告情報を検索する。情報検索部３２０は、外部サウンドから抽出された外部遺伝子を広告データベース２２０に格納されたすべての内部遺伝子と対照することで外部遺伝子と適合する内部遺伝子を検索した後、検索された内部遺伝子と関連して格納された広告情報を検索してもよい。
【００２９】
情報提供部３３０は、外部遺伝子と内部遺伝子との対照によって見つけた広告情報を外部サウンドを送信したモバイル端末へとプッシュ（ｐｕｓｈ）送信して提供する。ここで、広告情報は、広告主の名前または電話番号、広告の名前または題名、広告の内容、広告に対する他のユーザの反応情報のうち少なくとも１つを含んでもよい。情報提供部３３０は、広告情報のタイプによって、検索のための検索キーワード（テキスト）、ウェブページに移動できるＵＲＬ、動画を実行できるＵＲＬ、地図の位置に移動できるＵＲＬ、格納のためのテキストまたは文書またはイメージのうち少なくとも１つの形態で広告情報を提供してもよい。また、情報提供部３３０は、外部遺伝子と適合する内部遺伝子が広告データベース２２０にない場合、失敗（ｆａｉｌ）信号をモバイル端末に送信する。
【００３０】
位置受信部３６０は、モバイル端末からモバイル端末の位置情報またはユーザが選択した位置情報を受信する。この時、情報提供部３３０は、広告データベース２２０に格納された広告のうち位置情報に対応する広告情報を、すなわち、位置にターゲッティングされた広告をモバイル端末に提供してもよい。同じように、情報提供部３３０は、位置情報に対応する広告がない場合、失敗信号をモバイル端末に送信する。また、モバイル端末で位置情報を提供しなかったり、位置に対するターゲッティング広告を要求しなかったりした場合であれば、広告情報提供システム３００で位置受信部３６０を備えていなくてもよい。
【００３１】
モバイル端末は、広告情報提供システム３００から外部サウンドに対応する広告情報を受信してユーザが確認加能な形態で表示する。モバイル端末は、外部サウンドの認識を終了しながら、広告情報提供システム３００から受信した広告情報を即時に表示してもよい。この時、受信した広告情報は、今後ユーザが再確認できるようにモバイル端末内部にデフォルトで格納してもよい。一例として、広告主の名前または電話番号、広告の名前または題名、広告の内容、広告に対する他のユーザの反応情報などの広告情報が、テキスト、文書、イメージなどで露出される場合、ユーザはすぐに確認することができる。また、前記広告情報がＵＲＬでも検索キーワードで提供される場合、これをクリックして該当ウェブサイトまたは検索結果ページに移動して情報を取得してもよい。例えば、検索のための検索キーワード（テキスト）が提供される場合、検索キーワードのクリックまたは入力によって広告情報を提供する検索結果ページに移動してもよい。また、ウェブページに移動できるＵＲＬが提供される場合、ＵＲＬのクリックに応じて広告情報を提供するウェブページに移動してもよい。また、動画を実行できるＵＲＬが提供される場合、ＵＲＬのクリックに応じて広告情報を提供する動画を実行してもよい。また、地図の表示箇所に移動できるＵＲＬが提供される場合、ＵＲＬのクリックに応じて広告情報と関連する地図を提供する地図アプリケーションを実行してもよい。また、広告情報がテキストまたは文書またはイメージで提供される場合、アドレス帳、メモ帳などのモバイル端末内の保管部に広告情報を格納してもよい。そして、モバイル端末はユーザが広告情報に対する転換をした場合、転換情報を広告情報提供システム３００に送信してもよい。ここで、転換とは、実質的な広告効果につながるユーザの行為であり、ページビュー、クリック、実行、移動、格納などに対応することを意味してもよく、転換情報はページビューへの露出回数、クリック回数、実行回数、移動回数、格納回数などを意味してもよい。換言すれば、モバイル端末は、ユーザがどのような広告情報で何回のクリックをして、移動／実行／格納をしたのかに関する情報を情報提供システム３００に送信してもよい。
【００３２】
情報受信部３７０は、広告情報がモバイル端末を介して転換される転換情報（ページビューへの露出回数、クリック回数、実行回数、移動回数、格納回数など）を受信する。情報受信部３７０は、モバイル端末から直接転換情報を受信する方式、広告主側で算定された転換情報の報告を受ける方式などのさまざまな経路を介して広告情報に対する転換情報を収集してもよい。
【００３３】
課金実行部３４０は、広告情報に対応する広告主に広告情報の提供に係る課金を行う。一例として、課金実行部３４０は、広告情報が露出する露出回数、検索キーワードを用いた検索を実行する検索回数、検索キーワードを用いた検索結果をクリックしたクリック回数、ＵＲＬのクリックによってＵＲＬに対応するウェブページを実行した実行回数、ＵＲＬのクリックによって動画または地図画面の表示を実行した実行回数、広告主の電話番号に電話が接続された電話回数のうち少なくとも１つの広告提供回数を統計で集計してもよい。また、課金実行部３４０は、広告提供回数に応じて統計別広告主課金方式によって課金を行ってもよい。例えば、広告情報が露出する露出回数に対してはＣＰＭ（ｃｏｓｔ  ｐｅｒ  ｍｉｌｌｅ）方式を適用し、検索キーワードを用いた検索を実行する検索回数、検索キーワードを用いた検索結果をクリックしたクリック回数、ＵＲＬのクリックによってＵＲＬに対応するウェブページを実行した実行回数、ＵＲＬのクリックによって動画または地図画面の表示を実行した実行回数に対しては、ＣＰＡ（ｃｏｓｔ  ｐｅｒ  ａｃｔｉｏｎ）方式を適用し、広告主の電話番号に電話が接続された電話回数に対してはＣＴＣ（ｃｌｉｃｋ  ｔｏ  ｃａｌｌ）方式を適用してもよい。
【００３４】
前記構成によれば、一実施形態に係る広告情報提供システム３００は、モバイル端末を介して外部サウンドを認識し、外部サウンドと適合する広告情報をモバイル端末に提供してもよい。
【００３５】
図４は、本発明の一実施形態における、ＴＶやラジオなどで放送される広告のサウンドと関連する広告情報を構築して、モバイル端末に広告情報を提供する広告情報提供方法を説明するためのフローチャートである。本実施形態に係る広告情報提供方法は、図２で説明した広告情報提供システム２００によってそれぞれのステップを行うことができる。
【００３６】
ステップＳ４１０において、広告情報提供システム２００は、広告主または放送媒体から確保した広告サウンドを分析して広告サウンドの全区間に亘って広告サウンドの内部遺伝子を抽出する。広告情報提供システム２００は、広告主が広告サウンドに該当する内部遺伝子を直接提供する場合、内部遺伝子を抽出するステップＳ４１０を省略してもよい。
【００３７】
ステップＳ４２０において、広告情報提供システム２００は、広告サウンドと関連する広告情報を内部遺伝子と関連して格納および維持してもよい。ここで、広告情報は、広告主の名前または電話番号、広告の名前または題名、広告のタイプ、広告の内容、サウンド認識後にサウンドと広告情報とが適合した回数、モバイル端末への送信成功回数、広告情報のタイプ別広告提供回数のうち少なくとも１つの情報を含むことができる。
【００３８】
ステップＳ４３０において、広告情報提供システム２００は、モバイル端末を介して認識された外部サウンドに対応する広告情報をモバイル端末に提供する。広告情報を提供するステップＳ４３０については、図５で具体的に説明することにする。
【００３９】
図５は、本発明の一実施形態における、モバイル端末を介して認識されたサウンドに対応する広告情報を検索し、該当広告情報をモバイル端末に提供して広告情報の提供に係る課金を行う広告情報提供方法を説明するためのフローチャートである。本実施形態に係る広告情報提供方法は、図３で説明した広告情報提供システム３００によってそれぞれのステップを行うことができる。
【００４０】
ユーザが放送媒体により露出される広告と関連する情報の取得を希望する場合、モバイル端末はサウンド認識機能によって該当広告のサウンドの外部サウンドを取得して広告情報提供システム３００に送信してもよい。
【００４１】
ステップＳ５１０において、広告情報提供システム３００は、モバイル端末から外部サウンドを受信する。広告情報提供システム３００は、外部サウンドを分析して外部サウンドの遺伝子である外部遺伝子を抽出する。モバイル端末で外部サウンドの外部遺伝子を直接抽出して提供する場合には、広告情報提供システム３００は外部遺伝子を抽出する過程を省略してもよい。
【００４２】
ステップＳ５２０とステップＳ５３０において、広告情報提供システム３００は、ステップＳ５１０で抽出された外部遺伝子を内部遺伝子と対照することで外部遺伝子と適合する内部遺伝子を検索した後、検索された内部遺伝子と関連して格納された広告情報を探す。
【００４３】
ステップＳ５４０において、広告情報提供システム３００は、外部遺伝子と内部遺伝子との対照によって見つけた広告情報を外部サウンドを送信したモバイル端末へと提供する。広告情報提供システム３００は、広告主の名前または電話番号、広告の名前または題名、広告の内容、広告に対する他のユーザの反応情報のうち少なくとも１つを含む広告情報を提供してもよい。また、広告情報提供システム３００は、広告情報のタイプによって検索のための検索キーワード（テキスト）、ウェブページに移動できるＵＲＬ、動画を実行できるＵＲＬ、地図の位置に移動できるＵＲＬ、格納のためのテキストまたは文書またはイメージのうち少なくとも１つの形態で広告情報を提供してもよい。
【００４４】
ステップＳ５５０において、広告情報提供システム３００は、広告情報がモバイル端末を介して転換される転換情報を受信する。ここで、転換とは、実質的な広告効果につながるユーザの行為であり、ページビュー、クリック、実行、移動、格納などに対応することを意味してもよく、転換情報はページビューでの露出回数、クリック回数、実行回数、移動回数、格納回数などを意味してもよい。広告情報提供システム３００は、モバイル端末から直接転換情報を受信する方式、広告主側で算定された転換情報の報告を受ける方式などのさまざまな経路を介して広告情報に対する転換情報を収集してもよい。
【００４５】
ステップＳ５６０において、広告情報提供システム３００は、広告情報に対する転換情報に基づいた広告情報が露出された回数である露出回数、検索キーワードを用いて検索を行った回数である検索回数、検索キーワードを用いて行った検索の検索結果をクリックしたクリック回数、ＵＲＬのクリックによってＵＲＬに対応するウェブページを実行した実行回数、ＵＲＬのクリックによって動画または地図画面の表示を実行した実行回数、広告主の電話番号に架電した電話回数のうち少なくとも１つの広告提供回数を統計で集計してもよい。
【００４６】
ステップＳ５７０において、広告情報提供システム３００は、広告提供回数に応じて統計別広告主課金方式によって課金を行ってもよい。広告情報提供システム３００は、広告情報に対応する広告主にＣＰＭ方式、ＣＰＡ方式、ＣＴＣ方式などで広告情報の提供に係る課金を行ってもよい。
【００４７】
このように、本発明の実施形態によれば、モバイル端末を介して放送媒体により露出される広告のサウンドを認識して該当広告と関連する情報を提供することによってユーザが放送媒体により露出される広告と関連する追加的な情報を容易に、かつ素早く得ることができ、広告に対するユーザの積極的な反応を誘導して広告効果を向上させることができる。
【００４８】
上述したように、本発明では限定される実施形態および図面によって説明したが、本発明は、前記の実施形態に限定されるものではなく、本発明が属する分野で通常の知識を有する者であれば、このような記載から多様な修正および変形が可能である。
【００４９】
したがって、本発明の範囲は説明した実施形態に限定して決定されてはならず、後述する特許請求の範囲だけでなく、この特許請求の範囲と均等なもの等によって定められなければならない。
【符号の説明】
【００５０】
３１０：サウンド受信部
３２０：情報検索部
３３０：情報提供部
３４０：課金実行部
【図１】
0005404728.tif 000002
【図２】
0005404728.tif 000003
【図３】
0005404728.tif 000004
【図４】
0005404728.tif 000005
【図５】
0005404728.tif 000006